(57)【要約】【課題】  それぞれの放熱基板を利用してそれぞれの光源から生じた熱を吸収し、そしてそれぞれの放熱ファンを利用して気流を導引して気流環状道において流通させることにより、熱を外部の空間まで確実に排出することができる。【解決手段】  フレーム１、複数個の導流部材２と複数個の放熱ファン３を有する。フレーム１は光モジュールと結合するのに用いられる。それぞれの導流部材２はフレーム１に結合され、それぞれの導流部材２には複数個の光源５が結合するための放熱基板２１が含まれ、放熱基板２１の片側には導流溝路２２が形成される。それぞれの放熱ファン３はフレーム１に結合され、かつそれぞれの導流部材２の間に位置するように結合される。それぞれの導流溝路２２はそれぞれの放熱ファン３を通じて気流環状道が形成されるように構成される。【選択図】  図１
2011065788.tif 000002
【特許請求の範囲】
【請求項１】
フレーム（１）、複数個の導流部材（２）および複数個の放熱ファン（３）を有する光モジュールの放熱装置において、フレーム（１）には複数個の結合部（１１）と複数個の連接部（１２）が含まれ、それぞれの結合部（１１）は隣接する二個の連接部（１２）とそれぞれ連接するように形成され、それぞれの連接部（１２）には第一端（１２１）と第二端（１２２）がそれぞれ形成され、第一端（１２１）と第二端（１２２）は隣接する結合部（１１）と互いに連接するようにそれぞれ形成され、複数個の導流部材（２）はフレーム（１）のそれぞれの連接部（１２）の同じ側の表面にそれぞれ設けられ、それぞれの導流部材（２）には放熱基板（２１）がそれぞれ含まれ、放熱基板（２１）の片側には導流溝路（２２）が形成され、導流溝路（２２）は連接部（１２）の第一端（１２１）から第二端（１２２）まで延伸するように形成され、導流溝路（２２）の両端には開口（２２１）がそれぞれ形成され、複数個の放熱ファン（３）はフレーム（１）の結合部（１１）にそれぞれ結合され、かつそれぞれの導流部材（２）の開口（２２１）の間に位置するように結合され、それぞれの放熱ファン（３）には複数個の導風孔（３１１）がそれぞれ設けられ、それぞれの導風孔（３１１）は導流部材（２）のそれぞれの導流溝路（２２）と互いに連通するように形成され、それぞれの導流溝路（２２）はそれぞれの放熱ファン（３）とは互いに連通して気流環状道が形成されることを特徴とする光モジュールの放熱装置。
【請求項２】
それぞれの放熱ファン（３）にはファンフレーム（３１）がそれぞれ形成され、ファンフレーム（３１）の内部にはファンホイール（３２）が設けられ、ファンフレーム（３１）には環状壁（３１２）が形成され、環状壁（３１２）には二個の導風孔（３１１）が設けられ、さらに環状壁（３１２）には上蓋（３１３）が結合され、上蓋（３１３）には一個の導風孔（３１１）が設けられ、環状壁（３１２）に設けられた二個の導風孔（３１１）は二個の隣接する導流部材（２）の開口（２２１）と相対するようにそれぞれ形成されることを特徴とする請求項１に記載の光モジュールの放熱装置。
【請求項３】
環状壁（３１２）に設けられた二個の導風孔（３１１）の孔径は大きさが異なるように形成されることを特徴とする請求項２に記載の光モジュールの放熱装置。
【請求項４】
それぞれの放熱ファン（３）にはファンフレーム（３１）がそれぞれ形成され、ファンフレーム（３１）の内部にはファンホイール（３２）が設けられ、ファンフレーム（３１）はファンホイール（３２）の軸方向において二個の導風孔（３１１）が設けられることを特徴とする請求項１に記載の光モジュールの放熱装置。
【請求項５】
それぞれの放熱ファン（３）のファンフレーム（３１）とフレーム（１）のそれぞれの結合部（１１）との間には気流通路（３３）が形成されることを特徴とする請求項４に記載の光モジュールの放熱装置。
【請求項６】
導流部材（２）の放熱基板（２１）の片側には複数個のフィン（２３）が形成され、導流溝路（２２）はそれぞれのフィン（２３）の間に形成されることを特徴とする請求項１、２、３、４または５に記載の光モジュールの放熱装置。
【請求項７】
それぞれのフィン（２３）は放熱基板（２１）に対して垂直になるように形成されることを特徴とする請求項６に記載の光モジュールの放熱装置。
【請求項８】
それぞれの導流部材（２）の放熱基板（２１）には封止部材（２４）がそれぞれ結合され、封止部材（２４）は導流溝路（２２）を封止するのに用いられることを特徴とする請求項１、２、３、４または５に記載の光モジュールの放熱装置。
【請求項９】
フレーム（１）のそれぞれの結合部（１１）の外周縁には側辺（１１１）が形成され、放熱ファン（３）は側辺（１１１）に当接して固定されるように形成されることを特徴とする請求項１、２、３、４または５に記載の光モジュールの放熱装置。
【請求項１０】
フレーム（１）のそれぞれの結合部（１１）の外周縁には側辺（１１１）が形成され、放熱ファン（３）は側辺（１１１）に当接して固定されるように形成されることを特徴とする請求項６に記載の光モジュールの放熱装置。
【請求項１１】
フレーム（１）のそれぞれの結合部（１１）の外周縁には側辺（１１１）が形成され、放熱ファン（３）は側辺（１１１）に当接して固定されるように形成されることを特徴とする請求項８に記載の光モジュールの放熱装置。
【発明の詳細な説明】
【技術分野】
【０００１】
本発明は、放熱装置に関するもので、特に各種の発光機能を有して高熱を生じ易い光モジュールに対して放熱を行うことができる光モジュールの放熱装置に係るものである。
【背景技術】
【０００２】
光モジュール、例えば各種の灯具、バックライトのモジュールまたはその他の発光機能を有した装置等については、実際の運転過程において高熱が生じ易いため、従来の光モジュールには通常として放熱装置が結合されるものであり、そして上記放熱装置を利用して放熱を行うことにより、光モジュールの使用寿命を延ばすことができるようにしている。
【０００３】
従来の灯具タイプの光モジュールにおける放熱モジュールを例に挙げると、例えば、中華民国公告第Ｍ３３９６３６号「ＬＥＤ灯の放熱構造（一）」公報（特許文献１を参照）において、従来の光モジュールの放熱モジュールには灯具本体が形成され、上記灯具本体には複数個の発光ダイオードと一個のカバーが設けられ、さらに上記灯具本体には複数個の放熱片が突出するように設けられる。これにより、それぞれの発光ダイオードが通電によって熱を生じた時、それぞれの放熱片を利用して発光ダイオードから生じた熱を迅速に拡散するように輔助することができるようにしたものがある。
【０００４】
また、従来の「バックライトモジュール」タイプの光モジュールにおける放熱モジュールを例に挙げると、現在よく見られる液晶表示装置（liquid crystal display、LCD）では通常としてバックライトモジュールが含まれ、上記バックライトモジュールを利用してバックライトの光源を提供することにより、上記液晶表示装置が表示機能を呈するように形成される。その他に、液晶表示装置のバックライトモジュールは大体として「直下式バックライトモジュール」と「側光式バックライトモジュール」に区分されるが、いかなるタイプのバックライトモジュールにおいても放熱装置を結合しなければならず、上記放熱装置を利用して放熱機能を提供することにより、バックライトモジュールが正常に運転するのを確保している。
【０００５】
例えば中華民国出願番号第９５１１８２６５号「平面表示装置のバックライトの放熱モジュール」（特許文献２を参照）において、図１２を参照すると、「直下式バックライトモジュール」の放熱装置７が掲示され、放熱装置７には放熱基板７１とバックライトユニット７２が含まれる。放熱基板７１の片側の表面には複数個のフィン７１１と複数個の放熱溝路７１２が設けられる。バックライトユニット７２は放熱基板７１と結合し、バックライトユニット７２には複数個の光源７２１が設けられる。これにより、バックライトユニット７２の光源７２１が作動時に生じる熱はフィン７１１と放熱溝路７１２によって放熱されるため、バックライトユニット７２の使用寿命を延ばすことができるようにしたものがある。
【０００６】
また、例えば中華民国公開番号第２００９０１８６５号「側入光式バックライトモジュールの放熱器」（特許文献３を参照）において、図１３を参照すると、「側光式バックライトモジュール」の放熱装置８が掲示され、放熱装置８はバックライトモジュールの導光板の外側に設けられ、放熱装置８には熱導管ユニット８１と放熱片８２が含まれ、熱導管ユニット８１には少なくとも一個の熱導管８１１が形成され、上記熱導管８１１には熱伝導の媒質が充填され、放熱片８２は熱導管ユニット８１と結合するように形成される。これにより、熱導管ユニット８１の熱導管８１１には複数個の発光ダイオード８３が結合され、それぞれの発光ダイオード８３が作動時に生じた熱は熱導管ユニット８１を利用して放熱片８２まで伝導することができるため、放熱片８２を利用して放熱を行うことができるようにしたものがある。
【０００７】
さらに、例えば中華民国公告番号第Ｍ２９４１８９号「放熱フレーム」（特許文献４を参照）において、図１４を参照すると、「側光式バックライトモジュール」の放熱装置９が掲示され、放熱装置９にはアルミ材質の框体９１が形成され、框体９１の外周縁には複数個の放熱片９２が設けられる。その他に、框体９１の内側の周辺には複数個の発光ダイオード９３が結合される。これにより、それぞれの発光ダイオード９３が作動時に生じた熱は框体９１を利用して放熱片９２まで伝導することができるため、放熱片９２を利用して放熱を行うことができるようにしたものがある。
【先行技術文献】
【特許文献】
【０００８】
【特許文献１】中華民国公告第Ｍ３３９６３６号公報
【特許文献２】中華民国出願番号第９５１１８２６５号明細書
【特許文献３】中華民国公開番号第２００９０１８６５号公報
【特許文献４】中華民国公告番号第Ｍ２９４１８９号公報
【発明の概要】
【発明が解決しようとする課題】
【０００９】
上記のような特許文献１の従来の光モジュールの放熱モジュールにおいては、一般として次のような問題点を有している。光モジュールの放熱モジュールの放熱片はそれぞれの発光ダイオードが通電後に生じる熱を吸収することができる。しかし、それぞれの放熱片の周辺にはその他の輔助的な放熱の設計を有しないため、放熱片が熱を吸収した後は迅速に熱交換を行うことができない。そのため、放熱片がそれぞれの発光ダイオードから生じた熱を吸収した後では、放熱片には依然として熱を過度に溜めてしまうなどの問題点が生じ易くなり、灯具の全体的な放熱効果に影響を及ぼしてしまい、灯具の使用寿命が短くなるという問題点があった。
【００１０】
また、上記のような特許文献２の従来の光モジュールの放熱モジュールにおいては、一般として次のような問題点を有している。放熱装置７はフィン７１１と放熱溝路７１２だけを利用して放熱を行うもので、熱気流を確実に外部の空間まで導引するためのその他の構造の設計を有せず、熱気流は液晶表示装置の内部に溜まり易くなるため、放熱装置７の放熱効果が悪くなるという問題点があった。
【００１１】
また、上記のような特許文献３の従来の光モジュールの放熱モジュールにおいては、一般として次のような問題点を有している。放熱装置８は主に大面積の放熱片８２を設置し、さらに熱導管ユニット８１と合わせてそれぞれの発光ダイオード８３の放熱を行うように構成されたものである。しかし、放熱片８２を利用することにより、比較的大きい空間を占めることになるため、放熱装置８を液晶表示装置に応用した時、液晶表示装置の体積が増えてしまうだけではなく、軽くかつ薄くとの小型化に向っての研究開発が難しくなるという問題点があった。その他に、放熱装置８は熱導管ユニット８１と放熱片８２だけを利用して放熱を行うもので、熱気流を確実に外部の空間まで導引するためのその他の構造の設計を有せず、熱気流は液晶表示装置の内部に溜まり易くなるため、放熱装置８の放熱効果が悪くなるという問題点があった。さらに、熱導管ユニット８１は使用する前に熱伝導のための媒質を充填しなければならないため、放熱装置８は製造、使用上において大変不便になるという問題点があった。
【００１２】
さらに、上記のような特許文献４の従来の光モジュールの放熱モジュールにおいては、一般として次のような問題点を有している。放熱装置９は、上述の従来例と同様に、熱気流を確実に外部の空間まで導引するためのその他の構造の設計を有せず、熱気流は液晶表示装置の内部に溜まり易くなるという問題点があった。また、上述した「側光式バックライトモジュール」に応用されている二種の放熱装置８、９を比較すると、後者の放熱装置９には前者の放熱装置８と同様な大面積の放熱片８２が設置されていないため、放熱装置９を液晶表示装置に応用した時、框体９１と放熱片９２では比較的大きい空間を占めることがないが、放熱装置９の放熱片９２の面積が比較的小さいため、放熱装置９の放熱効果も限られてしまうという問題点があった。このように、上記のような従来の放熱装置をさらに改良しなければならない。
【００１３】
本発明はこのような問題点に鑑みて発明されたものであって、その主な目的とするところは、上述した従来の光モジュールの放熱装置の問題点に対して改良を行うことにより、放熱効果がさらによくなる光モジュールの放熱装置を提供しようとすることにある。
【００１４】
本発明の第二の目的とするところは、光モジュールが作動時において生じた熱を有効に外部の空間まで導引することができる光モジュールの放熱装置を提供しようとすることである。
【００１５】
本発明の第三の目的とするところは、放熱装置を光モジュールに応用する時、比較的大きい空間を占めることのない光モジュールの放熱装置を提供しようとするものである。
【課題を解決するための手段】
【００１６】
上記目的を達成するために、本発明による光モジュールの放熱装置は、以下のようになるものである。すなわち、
フレーム、複数個の導流部材および複数個の放熱ファンを有する。フレームには複数個の結合部と複数個の連接部が含まれ、それぞれの結合部は隣接する二個の連接部と連接するようにそれぞれ形成され、それぞれの連接部には第一端と第二端がそれぞれ形成され、第一端と第二端は隣接する結合部と互いに連接するようにそれぞれ形成される。複数個の導流部材はフレームのそれぞれの連接部の同じ側の表面にそれぞれ設けられ、それぞれの導流部材には放熱基板がそれぞれ含まれ、放熱基板の片側には導流溝路が形成され、導流溝路は連接部の第一端から第二端まで延伸するように形成され、導流溝路の両端には開口がそれぞれ形成される。複数個の放熱ファンはフレームの結合部にそれぞれ結合され、かつそれぞれの導流部材の開口の間に位置するように結合され、それぞれの放熱ファンには複数個の導風孔がそれぞれ設けられ、それぞれの導風孔は導流部材のそれぞれの導流溝路とは互いに連通するように形成される。それぞれの導流溝路はそれぞれの放熱ファンとは互いに連通して気流環状道が形成される。
【００１７】
また、それぞれの放熱ファンにファンフレームをそれぞれ形成し、ファンフレームの内部にファンホイールを設け、ファンフレームに環状壁を形成し、環状壁に二個の導風孔を設け、さらに環状壁に上蓋を結合し、上蓋に一個の導風孔を設け、環状壁に設けられた二個の導風孔が二個の隣接する導流部材の開口と相対するようにそれぞれ形成することもできる。また、環状壁に設けられた二個の導風孔の孔径の大きさが異なるように形成することもできる。また、それぞれの放熱ファンにファンフレームをそれぞれ形成し、ファンフレームの内部にファンホイールを設け、ファンフレームにファンホイールの軸方向において二個の導風孔を設けることもできる。また、それぞれの放熱ファンのファンフレームとフレームのそれぞれの結合部との間に気流通路を形成することもできる。また、導流部材の放熱基板の片側に複数個のフィンを形成し、導流溝路をそれぞれのフィンの間に形成することもできる。また、それぞれのフィンが放熱基板に対して垂直になるように形成することもできる。また、それぞれの導流部材の放熱基板に封止部材をそれぞれ結合し、封止部材が導流溝路を封止するのに用いることもできる。また、フレームのそれぞれの結合部の外周縁に側辺を形成し、放熱ファンが側辺に当接して固定されるように形成することもできる。
【発明の効果】
【００１８】
本発明の光モジュールの放熱装置によれば、上述した従来の光モジュールの放熱装置の問題点に対して改良を行うことにより、放熱効果がさらによくなるという利点がある。
【００１９】
本発明の光モジュールの放熱装置によれば、光モジュールが作動時において生じた熱を効果的に外部の空間まで導引することができるという利点がある。
【００２０】
本発明の光モジュールの放熱装置によれば、放熱装置が光モジュールに応用される時、比較的大きい空間を占めることがないという利点がある。
【図面の簡単な説明】
【００２１】
【図１】本発明による光モジュールの放熱装置の組立て状態の断面図である。
【図２】本発明による光モジュールの放熱装置の局部の分解斜視図である。
【図３】本発明の光モジュールの放熱装置が軸流式放熱ファンを有する状態における局部の分解斜視図である。
【図４】本発明の光モジュールの放熱装置が軸流式放熱ファンを有する状態における局部の断面図である。
【図５】本発明の光モジュールの放熱装置がフィンを有する状態における局部の分解斜視図である。
【図６】本発明の光モジュールの放熱装置が封止部材を有する状態における局部の分解斜視図である。
【図７】本発明の光モジュールの放熱装置が側辺を有する状態における局部の分解斜視図である。
【図８】本発明の光モジュールの放熱装置が二個の放熱ファンを使用する状態における組立て状態の断面図である。
【図９】本発明の光モジュールの放熱装置が第一放熱ファンと第三放熱ファンを使用して放熱を行う状態における使用状態を示す図である。
【図１０】本発明の光モジュールの放熱装置が第二放熱ファンと第四放熱ファンを使用して放熱を行う状態における使用状態を示す図である。
【図１１】本発明の光モジュールの放熱装置が放熱を行う状態における使用状態を示す図である。
【図１２】従来の第一種の光モジュールの放熱装置の分解斜視図である。
【図１３】従来の第二種の光モジュールの放熱装置の外観斜視図である。
【図１４】従来の第三種の光モジュールの放熱装置の外観斜視図である。
【発明を実施するための形態】
【００２２】
本発明の実施の形態について、以下、図面を参照して説明する。
【００２３】
本発明の光モジュールの放熱装置が例えば灯具またはバックライトモジュールなど各種の発光機能を有した光モジュールに応用されることにより、上記光モジュールが実際に稼働する過程において生じた高熱の放熱作用を提供することができるため、上記光モジュールの使用寿命を延ばすことができる。本発明における上述した目的、特徴と利点がさらに分かり易くなるように、以下の説明において「バックライトモジュール」を例に挙げ（その他の光モジュールに応用される方式も大体同じである）、そして図面と合わせて以下説明する。
【００２４】
図１は本発明による光モジュールの放熱装置の組立て状態の断面図で、図２は本発明の光モジュールの放熱装置の局部の分解斜視図である。図１、２を参照すると、本発明の光モジュールの放熱装置にはフレーム１、複数個の導流部材２および複数個の放熱ファン３が含まれる。フレーム１は液晶表示装置４（liquid crystal display、LCD）の取付け予定位置（例えば導光板の片側）に結合される。それぞれの導流部材２はフレーム１と結合し、そしてそれぞれの導流部材２は複数個の光源５（例えば発光ダイオード等）が結合するのに用いられることができる。それぞれの放熱ファン３はそれぞれの導流部材２の間に結合されることにより、気流を導引してそれぞれの導流部材２に流通するように用いられることができるため、それぞれの光源５に対して放熱を行うことができる。
【００２５】
フレーム１には複数個の結合部１１と複数個の連接部１２が含まれる。フレーム１は好ましくは導熱の材質により製成される。それぞれの結合部１１は隣接する二個の連接部１２と連接するようにそれぞれ形成される。それぞれの連接部１２には第一端１２１と第二端１２２がそれぞれ形成され、第一端１２１と該第二端１２２は隣接する結合部１１と互いに連接するようにそれぞれ形成される。本発明のフレーム１は主に各種の光モジュール（図示において光モジュールは液晶表示装置４である）に応用されるものであるため、フレーム１は実際の需要に応じて適当な形状に形成することができる。例を挙げると、図１、２に示す実施例において、結合部１１と連接部１２は全て４個であり、その中の４個の連接部１２は矩形に排列され、４個の結合部１１はそれぞれ４個の連接部１２と互いに連接するように形成されており、それにより、フレーム１は矩形の框体に形成することができ、そして４個の結合部１１はフレーム１の四隅の位置に位置するように形成される。
【００２６】
それぞれの導流部材２はフレーム１のそれぞれの連接部１２の同じ側の表面にそれぞれ設けられ、それぞれの導流部材２には放熱基板２１がそれぞれ含まれる。放熱基板２１の片側には導流溝路２２が形成され、導流溝路２２は連接部１２の第一端１２１から第二端１２２まで延伸するように形成される。導流溝路２２の両端には開口２２１がそれぞれ形成される。本発明における導流部材２の数はフレーム１の連接部１２の数に対応することができる。例を挙げると、図１、２に示す例において、導流部材２は４個であり、４個の導流部材２はそれぞれフレーム１の４個の連接部１２の同じ側の表面に結合される。この結合の方式として一体成形または組立式などの方式を採用することができ、そしてそれぞれの４個の導流部材２の導流溝路２２の両端に形成されている開口２２１は全て対応のフレーム１の結合部１１に向くように形成される。
【００２７】
それぞれの放熱ファン３はフレーム１の結合部１１にそれぞれ結合され、上記結合の方式は好ましくは粘着、溶接、螺着またはその他の固定の目的を達成することができる技術手段を採用することにより、それぞれの放熱ファン３を二個の隣接する導流部材２の導流溝路２２的開口２２１の間に位置するように形成することができる。その他に、それぞれの放熱ファン３にはファンフレーム３１がそれぞれ形成される。ファンフレーム３１には複数個の導風孔３１１が設けられ、その中の少なくとも一個の導風孔３１１を風入口とすることができ、そしてその他の導風孔３１１を風出口とすることができる。さらにそれぞれの導風孔３１１と導流部材２のそれぞれの導流溝路２２とは互いに連通するように形成される。また、ファンフレーム３１の内部にもファンホイール３２が設けられる。ファンホイール３２は気流を導引してそれぞれの導風孔３１１に流通させるのに用いられることができる。本発明の放熱ファン３は実際の需要に応じて適当な数を選択することができ、放熱ファン３の数は好ましくはフレーム１の結合部１１の数に対応するように形成される。例を挙げると、図１、２に示す例において、放熱ファン３は４個であり、４個の放熱ファン３はそれぞれフレーム１の４個の結合部１１に結合される。
【００２８】
本発明の光モジュールの放熱装置は実際の使用上の需要に応じて異なるタイプの放熱ファン３を選択することができる。例えば「送風式放熱ファン」または「軸流式放熱ファン」などを選択することができる。図２に示すように、放熱ファン３が「送風式放熱ファン」である場合、放熱ファン３のファンフレーム３１には環状壁３１２が形成され、環状壁３１２には二個の導風孔３１１が設けられる。その他に、環状壁３１２には上蓋３１３が結合され、上蓋３１３には一個の導風孔３１１が設けられる。また、上述した環状壁３１２に設けられている二個の導風孔３１１は隣接する二個の導流部材２の開口２２１と相対するようにそれぞれ形成され、そして上蓋３１３に設けられている一個の導風孔３１１は外部の空間に向くように形成される。これにより、実際に放熱ファン３を使用する時、上述した環状壁３１２に設けられている二個の導風孔３１１を風出口とすることができ、そして上蓋３１３に設けられている一個の導風孔３１１を風入口とすることができるため、本発明の光モジュールの放熱装置に更なる多様な放熱の方式を提供することができる。その他に、再び図１、２を参照すると、上述した環状壁３１２に設けられている二個の導風孔３１１の孔径を異なる大きさに形成することができ、その中の比較的大きい孔径を有する導風孔３１１を図１に示すような距離が比較的長い導流溝路２２に向かせることができ、そして比較的小さい孔径を有する導風孔３１１を、図１に示すように、距離が比較的短い導流溝路２２に向かせることができる。これにより、本発明の光モジュールの放熱装置が「幅広」の液晶表示装置４に応用される時、より均一になった放熱の効果を提供することができる。
【００２９】
図３は本発明の光モジュールの放熱装置が軸流式放熱ファンを有する状態における局部の分解斜視図で、図４は本発明の光モジュールの放熱装置が軸流式放熱ファンを有する状態における局部の断面図である。図３、４を参照すると、放熱ファン３が「軸流式放熱ファン」である場合、放熱ファン３のファンフレーム３１はファンホイール３２の軸方向において二個の導風孔３１１が設けられ、その中の一個の導風孔３１１は風入口であり、もう一個の導風孔３１１は風出口である。その他に、図４に示すように、それぞれの放熱ファン３のファンフレーム３１とフレーム１のそれぞれの結合部１１との間には気流通路３３が形成される。これにより、放熱ファン３が実際に作動する時、ファンホイール３２が導引された気流は気流通路３３を経てそれぞれの導流部材２の導流溝路２２に流通するように形成される。
【００３０】
本発明の光モジュールの放熱装置のフレーム１と導流部材２にはさらに下記のその他の構造特徴が含まれ、そして掲示されている数種の異なる構造特徴も使用上の需要性に応じて互いに組合せて使用したりまたは個別に使用したりすることができ、さらに上述した「送風式放熱ファン」または「軸流式放熱ファン」の放熱装置（以下においては送風式放熱ファンのみを例に挙げて説明する。）に応用されることにより、本発明の光モジュールの放熱装置の功能は完璧に近付くことができる。
【００３１】
図５は本発明の光モジュールの放熱装置がフィンを有する状態における局部の分解斜視図である。図５を参照すると、それぞれの導流部材２の放熱基板２１の片側には複数個のフィン２３が形成され、導流溝路２２はそれぞれのフィン２３の間に形成される。それぞれのフィン２３は、好ましくは図示のように、放熱基板２１に対して垂直になるように形成されることにより、全体的な導熱の効果を高めることができる。これにより、それぞれのフィン２３を利用して放熱の面積を増やすことにより、本発明の光モジュールの放熱装置の放熱効果をより一層高めることができる。
【００３２】
図６は本発明の光モジュールの放熱装置が封止部材を有する状態における局部の分解斜視図である。図６を参照すると、それぞれの導流部材２には他に封止部材２４が含まれ、封止部材２４は導流溝路２２を封止するのに用いられ、封止部材２４は放熱基板２１と結合するように形成される。これにより、それぞれの放熱ファン３によって導入された気流は導流溝路２２の両端の開口２２１以外の部位から外部の空間まで散逸するのを確保することにより、上記気流によって放熱基板２１まで伝導される熱をスムースに外部の空間まで伝送することができるため、同様に本発明の光モジュールの放熱装置の放熱効果をより一層高めることができる。
【００３３】
図７は本発明の光モジュールの放熱装置が側辺を有する状態における局部の分解斜視図である。図７を参照すると、フレーム１のそれぞれの結合部１１の外周縁に側辺１１１が形成される。これにより、放熱ファン３がフレーム１の結合部１１に結合された時、側辺１１１は放熱ファン３を当接して固定するのに用いることができるため、放熱ファン３とフレーム１の結合部１１との間の結合の安定性を増やすことができる。
【００３４】
図８は本発明の光モジュールの放熱装置が二個の放熱ファンを使用する状態における組立て状態の断面図である。図８を参照すると、放熱ファン３は実際の需要に応じて適当な数を選択することができる。図８に示す実施例において、放熱ファン３の数は二個であり、そして二個の放熱ファン３はフレーム１の対角の位置にそれぞれ設置される。これにより、本発明の光モジュールの放熱装置によれば、一定の放熱効果を依然として維持することができるとともに、製造コストを低く抑えることができる。
【００３５】
再び上述した各図を参照すると、本発明の光モジュールの放熱装置が実際に使用される時、フレーム１は光モジュールの予定の取付け部位（例えば灯具またはバックライトモジュールの光源の部位等）に結合するのに用いられる。各図に示す実施例において、フレーム１は液晶表示装置４に結合される。導流部材２の放熱基板２１は液晶表示装置４のバックライトモジュールの複数個の光源５と結合するのに用いられ、その中の導流溝路２２は放熱基板２１の片側に位置するように形成され、そしてそれぞれの光源５は放熱基板２１のもう一方の片側に位置するように形成される。また、それぞれの導流部材２の導流溝路２２の開口２２１はそれぞれの放熱ファン３のファンフレーム３１の導風孔３１１と互いに連通するように形成されるため、それぞれの導流溝路２２の間はそれぞれの放熱ファン３を通じて互いに連通して気流環状道（標示せず）が形成される。これにより、それぞれの光源５が実際に作動して熱が生じた時、それぞれの放熱基板２１によってそれぞれの光源５から生じた熱を吸収することができる。それと同時に、それぞれの放熱ファン３によって外部の空間から気流を導引して放熱基板２１の片側の導流溝路２２に流通させ、そして熱交換作用を利用することにより、上記気流によってそれぞれの光源５から生じた熱を外部空間へ発散させ、熱気流が液晶表示装置４の内部に溜まるのを避けることができるため、よりよい放熱効果を提供することができるとともに、それぞれの光源５の使用寿命を延ばすことができる。
【００３６】
さらに詳しく言えば、上述した構造の特徴によれば、本発明の光モジュールの放熱装置では以下の数種の放熱方式と多数の利点（選択的に「送風式放熱ファン」または「軸流式放熱ファン」を使用する。）を達成することができ、そしてそれぞれの放熱ファン３を第一放熱ファン３ａ、第二放熱ファン３ｂ、第三放熱ファン３ｃと第四放熱ファン３ｄと区分けして以下説明する。
【００３７】
１．  図２、９を参照して、「送風式放熱ファン」を使用した例について説明すると、本発明の放熱装置が使用時において好ましくは放熱ファン３の交替作動を制御することにより、それぞれの放熱ファン３の使用寿命を高めることができる。例を挙げると、予め第一放熱ファン３ａと第三放熱ファン３ｃが同時に作動するのを制御し、そして第二放熱ファン３ｂと第四放熱ファン３ｄを暫く作動停止する。この時には第一放熱ファン３ａと第三放熱ファン３ｃの上蓋３１３に設けられている導風孔３１１を風入口とすることにより、外部の気流を上記風入口を経由してファンフレーム３１まで導入させる。それから再び第一放熱ファン３ａと第三放熱ファン３ｃの環状壁３１２に設けられている導風孔３１１を風出口とすることにより、気流を上記風出口を経由して導流部材２の導流溝路２２に進入させる。上記気流が導流溝路２２に流通される時、それぞれの光源５から生じられる熱を第二放熱ファン３ｂと第四放熱ファン３ｄまで更に導引させ、そして第二放熱ファン３ｂと第四放熱ファン３ｄが作動していないため、気流はスムースに第二放熱ファン３ｂと第四放熱ファン３ｄの導風孔３１１を経由して外部空間へ発散される。予定の時間（使用者の実際の需要に応じて時間の長さを設定する。）が経過した後、図１０に示すように、先程作動していた第一放熱ファン３ａと第三放熱ファン３ｃの作動を停止するように制御し、そして第二放熱ファン３ｂと第四放熱ファン３ｄが上述した放熱の方式を繰り返すように改めて制御させる。全体から言えば、それぞれの放熱ファン３を「交替作動」にさせることにより、予定の放熱効果を達成するため、放熱ファン３が長時間の作動によって壊れてしまうのを有効に避けることができる。
【００３８】
２．  図１１を参照して、「軸流式放熱ファン」を使用した例について説明すると、仮にそれぞれの光源５が実際の作動過程において過熱になり易い場合、それぞれの放熱ファン３が同時に作動するのをさらに制御することにより、全面的に放熱を行うように構成することができる。例えば、第一放熱ファン３ａと第三放熱ファン３ｃのファンホイール３２が正方向で回動するように制御することにより、外部の空間の気流を導流溝路２２まで導入させる。そして合わせて第二放熱ファン３ｂと第四放熱ファン３ｄのファンホイール３２が反対方向で回動するように制御することにより、導流溝路２２の内部の気流をより迅速に外部空間へ導引することができ（軸流式放熱ファンのファンホイール特性に合わせて、例えばそのファンホイールが反転時において元の気流の進行方向を変えることができる。）、そのため、それぞれの光源５が過熱によって壊れてしまうのを有効に避けることができるとともに、よりよい放熱効果を提供することができる。
【００３９】
３．  仮にそれぞれの放熱ファン３の導風孔３１１に沢山の埃が積もると、それぞれの放熱ファン３が反対方向に回動するように制御することにより、さらに軸流式放熱ファン３のファンホイール３２の特性に合わせることにより、気流が導風孔３１１を経由して外部空間へと通過する過程において、導風孔３１１の内部に積もった埃をついでに除去することができるため、導風孔３１１が詰まるのを避けることができる。
【００４０】
４．  仮にその内の一個の放熱ファン３が壊れると、その他の壊れていない放熱ファン３が引き続き作動するように制御する、または壊れていない放熱ファン３の回転速度を増やすように制御することにより、それぞれの光源５が過熱によって壊れてしまうのを避けることができる。
【００４１】
本発明の光モジュールの放熱装置によれば、複数個の放熱ファン３を利用し、そして合わせて複数個の導流部材２の導流溝路２２によって形成された気流環状道の構造の設計を利用することにより、光モジュールの複数個の光源５に対して放熱を行うことができる。更に、それぞれの放熱ファン３の交替作動によって形成される放熱方式を制御し、気流を導流溝路２２に流通させることにより、それぞれの放熱基板２１に結合される複数個の光源５の温度を有効に低下させることができるため、より完璧な放熱作用を提供することができ、放熱効果をより一層高めることができる。
【００４２】
本発明の光モジュールの放熱装置によれば、複数個の放熱ファン３を利用して確実に気流を外部の空間へ導引することにより、熱気流が光モジュール（図においては液晶表示装置４のバックライトモジュール）の内部に溜まるのを避けることができるため、それぞれの光源５が正常に作動するのを確保することができるとともに、その使用寿命を高めることができる。
【産業上の利用可能性】
【００４３】
上述の如く、本発明の光モジュールの放熱装置は従来の放熱装置８と比べると、大面積の放熱片８２を設置することなく、さらに複数個の放熱ファン３だけを利用し、さらに複数個の導流部材２を合わせて利用することにより、よりよい放熱効果を獲得することができる。そのため、本発明の光モジュールの放熱装置が光モジュールに応用される時、比較的大きい空間を占めることなく、さらに、取り付けが簡単で、軽く薄くかつ小型化であるという利点がある。
【００４４】
本発明は、その精神と必須の特徴事項から逸脱することなく他のやり方で実施することができる。従って、本明細書に記載した好ましい実施形態は例示的なものであり、限定を意図するものではない。
【符号の説明】
【００４５】
１    フレーム
１１    結合部
１１１    側辺
１２    連接部
１２１    第一端
１２２    第二端
２    導流部材
２１    放熱基板
２２    導流溝路
２２１    開口
２３    フィン
２４    封止部材
３    放熱ファン
３ａ    第一放熱ファン
３ｂ    第二放熱ファン
３ｃ    第三放熱ファン
３ｄ    第四放熱ファン
３１    ファンフレーム
３１１    導風孔
３１２    環状壁
３１３    上蓋
３２    ファンホイール
３３    気流通路
４    液晶表示装置
５    光源
７    放熱装置
７１    放熱基板
７１１    フィン
７１２    放熱溝路
７２    バックライトユニット
７２１    光源
８    放熱装置
８１    熱導管ユニット
８１１    熱導管
８２    放熱片
８３    発光ダイオード
９    放熱装置
９１    框体
９２    放熱片
９３    発光ダイオード
【図１】
2011065788.tif 000003
【図２】
2011065788.tif 000004
【図３】
2011065788.tif 000005
【図４】
2011065788.tif 000006
【図５】
2011065788.tif 000007
【図６】
2011065788.tif 000008
【図７】
2011065788.tif 000009
【図８】
2011065788.tif 000010
【図９】
2011065788.tif 000011
【図１０】
2011065788.tif 000012
【図１１】
2011065788.tif 000013
【図１２】
2011065788.tif 000014
【図１３】
2011065788.tif 000015
【図１４】
2011065788.tif 000016